(57)【特許請求の範囲】
【請求項１】
バーナへガス供給するための手動式の器具栓を備えるとともに、炊飯モードの選択により炊飯用にバーナを火力制御するための制御部を備えた炊飯機能付きガスコンロであって、
器具栓は、バーナへのガス供給路に介設され且つ火力調節レバーの手動操作により動作されてガス供給量を増減する流量調節弁と、バーナの点火操作の際に点火操作具の手動操作と連動して火力調節レバーとともに流量調節弁を点火及び炊飯位置に強制的に移動させる連動機構と、バーナへのガス供給路に介設された火力切換え手段とを備え、
連動機構は、点火操作具の手動操作により回動される１つの連動カムで構成され、連動カムには流量調節弁に設けられて一端が火力調節レバーに係合される操作ピンの他端と係合される連動孔が設けられ、連動孔には点火操作具を手動操作すると火力調節レバーを点火及び炊飯位置に強制的に移動させる第１作用辺と第２作用辺とが対向して形成されており、
火力調節レバーを配置する本体面には、火力調節レバーの位置が炊飯位置にあることを示す炊飯表示が、バーナの点火位置と同じ位置に表示されており、
制御部は、炊飯モードの選択により、火力調節レバーの位置が連動機構によって点火操作具の手動操作と連動して強制的に移動された点火及び炊飯位置にある状態において、バーナ点火後にバーナの火力を点火時の点火火力から炊飯に適した炊飯火力に切り換えるように火力切換え手段を設定する制御構成とする炊飯機能付きガスコンロ。
【請求項２】
請求項１に記載の炊飯機能付きガスコンロにおいて、
上記火力切換え手段は、第１開閉弁と第２開閉弁とを備え、
上記制御部は、バーナの点火操作の際には第１開閉弁及び第２開閉弁を開弁させ、炊飯モードの選択によりバーナ点火後に第２開閉弁を閉弁して第１開閉弁だけを開弁させる制御構成とする炊飯機能付きガスコンロ。
【請求項３】
請求項２に記載の炊飯機能付きガスコンロにおいて、
上記器具栓には、ガス供給路に連通するとともに第１開閉弁を介設する第１ガス流路と、ガス供給路に連通するとともに第２開閉弁を介設する第２ガス流路と、ガス供給路に連通する第３ガス流路とが形成され、
上記制御部は、炊飯中の火力切換え制御として、第２開閉弁を閉弁状態とし第１開閉弁を開閉することにより行う炊飯機能付きガスコンロ。
【発明の詳細な説明】
【技術分野】
【０００１】
本発明は、手動式の器具栓を備える炊飯機能付きガスコンロに関する。
【背景技術】
【０００２】
従来、この種のガスコンロにより炊飯を行う場合は、バーナの点火操作後に手動で火力調節レバーを「炊飯」と表示された炊飯位置に合わせてバーナの火力を炊飯火力に設定し、炊飯モードの選択によりバーナを炊飯用に火力制御するようにしている（特許文献１）。
【先行技術文献】
【特許文献】
【０００３】
【特許文献１】特開平１０−２１１１０２号公報
【発明の概要】
【発明が解決しようとする課題】
【０００４】
ところで、３口のガスンコンロは、手前の２つに標準バーナ（約２６００ｋｃａｌ／ｈ）と強火力バーナ（約３６００ｋｃａｌ／ｈ）を配置し、中央奥に１つの小バーナ（約１１００ｋｃａｌ／ｈ）を配置することが多く、炊飯を行う場合、比較的良好な炊飯火力を得やすい等の理由から標準バーナが使用されることが多い。また、手前２つのバーナを共に強火力バーナ仕様とするガスコンロがある。このガスコンロで炊飯を行う場合は強火力バーナを使用することとなる。
【０００５】
このように、ガスコンロの標準バーナや強火力バーナで炊飯を行う場合でも、手動式の器具栓を備えるものは手動で火力調節レバーの位置を炊飯位置に合わせることが必要となる。そのため、炊飯位置への手動による火力調節レバーの設定位置がずれると適切な炊飯火力が得られなくなり、また、火力調節レバーを炊飯位置に移動させる操作が面倒であり、時には火力調節レバーを炊飯位置に合わせるのを忘れることも起こり得た。そのため、炊飯が上手くできないこともあった。
【０００６】
因みに、強火力バーナは、ガスインプットが最も大きく標準バーナに比べて火力調節範囲が広域であるが、火力調節レバーの操作範囲は構造上標準バーナと同一となっている。そのため、特に強火力バーナの場合は、炊飯に適した炊飯火力を火力調節レバーの操作幅の中で手動により設定するのは難しく、しかも炊飯位置への火力調節レバーの位置ずれによる炊飯火力のばらつきが標準バーナよりも大きくなる。
【０００７】
本発明は、以上の事情に鑑みてなされたものであり、手動式の器具栓を備えたガスコンロにより炊飯を行う場合、火力調節レバーを手動で操作することを省略でき、且つ炊飯に適した炊飯火力が安定して得られ、使い勝手の良い炊飯機能付きガスコンロを提供することを課題とする。
【課題を解決するための手段】
【０００８】
本発明に係る炊飯機能付きガスコンロは、
バーナへガス供給するための手動式の器具栓を備えるとともに、炊飯モードの選択により炊飯用にバーナを火力制御するための制御部を備えた炊飯機能付きガスコンロであって、
器具栓は、バーナへのガス供給路に介設され且つ火力調節レバーの手動操作により動作されてガス供給量を増減する流量調節弁と、バーナの点火操作の際に点火操作具の手動操作と連動して火力調節レバーとともに流量調節弁を点火及び炊飯位置に強制的に移動させる連動機構と、バーナへのガス供給路に介設された火力切換え手段とを備え、
連動機構は、点火操作具の手動操作により回動される１つの連動カムで構成され、連動カムには流量調節弁に設けられて一端が火力調節レバーに係合される操作ピンの他端と係合される連動孔が設けられ、連動孔には点火操作具を手動操作すると火力調節レバーを点火及び炊飯位置に強制的に移動させる第１作用辺と第２作用辺とが対向して形成されており、
火力調節レバーを配置する本体面には、火力調節レバーの位置が炊飯位置にあることを示す炊飯表示が、バーナの点火位置と同じ位置に表示されており、
制御部は、炊飯モードの選択により、火力調節レバーの位置が連動機構によって点火操作具の手動操作と連動して強制的に移動された点火及び炊飯位置にある状態において、バーナ点火後にバーナの火力を点火時の点火火力から炊飯に適した炊飯火力に切り換えるように火力切換え手段を設定する制御構成とする。
【０００９】
上記構成によれば、火力調節レバーの位置が連動機構により点火操作具の手動操作と連動して点火及び炊飯位置となる一定位置に設定されるので、炊飯を行う場合に火力調節レバーの位置を手動で炊飯位置に合わせる操作を省略することができる。また、火力調節レバーを配置する本体面には、火力調節レバーの位置が炊飯位置にあることを示す炊飯表示が、バーナの点火位置と同じ位置に表示されているので、炊飯の際、火力調節レバーの位置が炊飯位置にあることを認識して、バーナの点火操作後に火力調節レバーの位置を操作する必要がないことを確認することができる。
【００１０】
ところで、手動式の器具栓には、バーナへの点火の際に、点消火ボタンの点火操作と連動して火力調節レバーを大火位置に強制的に移動させて、バーナの点火を確実に行える構成にしたものがある。従って、炊飯を行う場合に火力調節レバーを炊飯位置へ手動操作する手間を省くため、例えば、点火時に強制的に操作された大火状態で炊飯を行う構成にしようとしても、炊飯には火力が強過ぎて良好な炊飯を行うことができない。一方、点火操作時において火力調節レバーの位置を大火位置ではなく炊飯位置に強制的に移動させ、炊飯火力でバーナを点火させようとすると、バーナの点火の際にガス量不足で点火不良を起こしやすくなるおそれがある。
本発明の上記構成によれば、炊飯モードを選択すると、火力調節レバーの位置が点火及び炊飯位置にある状態において、火力切換え手段によって、バーナ点火後にバーナの火力が点火時の点火火力から炊飯に適した炊飯火力に切り換えられる。これにより、バーナの点火操作の際は、バーナへ点火に十分なガス量を供給してバーナの点火を確実に行うことができ、炊飯の際は、火力調節レバーを操作することなく点火位置の状態でバーナの点火火力を炊飯に適した炊飯火力に自動的に切り換えることができる。よって、良好な炊飯を実行することができる。また、強火力バーナで炊飯を行う場合でも、決められた炊飯火力が安定して得られ、良好な炊飯を実行することができる。
【００１１】
上記火力切換え手段は、第１開閉弁と第２開閉弁とを備え、
上記制御部は、バーナの点火操作の際には第１開閉弁及び第２開閉弁を開弁させ、炊飯モードの選択によりバーナ点火後に第２開閉弁を閉弁して第１開閉弁だけを開弁させる制御構成とすることが望ましい。
これにより、連動機構とともに第１開閉弁及び第２開閉弁の動作を組み合わせることで、バーナの点火操作の際は、バーナへ点火に十分なガス量を供給してバーナの点火を確実に行うことができ、炊飯の際は、火力調節レバーを操作することなく点火位置の状態でバーナの点火火力を炊飯に適した炊飯火力に自動的に切り換えることができる。
【００１２】
上記器具栓には、ガス供給路に連通するとともに第１開閉弁を介設する第１ガス流路と、ガス供給路に連通するとともに第２開閉弁を介設する第２ガス流路と、ガス供給路に連通する第３ガス流路とが形成され、
上記制御部は、炊飯中の火力切換え制御として、第２開閉弁を閉弁状態とし第１開閉弁を開閉することにより行うようにしてもよい。
このように、炊飯中のバーナの火力切換え制御を第１開閉弁と第２開閉弁の動作で行うので、第１ガス流路と第３ガス流路の各流路によりバーナへのガス供給量を設定することができ、切換えたバーナの火力が一定に保持され、良好な炊飯を行うことができる。
【発明の効果】
【００１３】
以上のように、本発明によれば、手動式の器具栓を備えるガスコンロで炊飯する場合に、火力調節レバーの位置ずれによって炊飯火力にばらつきを生じさせることがなく、決められた炊飯火力が安定して得られ、良好な炊飯を実行することができ、使い勝手を向上することができる。また、強火力バーナで炊飯を行う場合でも、決められた炊飯火力が安定して得られ、良好な炊飯を実行することができる。
【図面の簡単な説明】
【００１４】
【図１】実施形態によるガスコンロの外観を示す斜視図である。
【図２】炊飯を行う強火力バーナのガス回路を示すブロック図である。
【図３】炊飯を行う強火力バーナに対する器具栓の内部構造を示す断面図である。
【図４】炊飯を行う強火力バーナに対する器具栓の前面側の外観を示す正面図である。
【図５】火力調節レバーと連動カムとスライダとを示す分解斜視図である。
【図６】火力調節レバー及びニードル弁を弱火位置から中火位置に強制的に移動させる連動カムの動作を説明するための模式図である。
【図７】火力調節レバー及びニードル弁を強火位置から中火位置に強制的に移動させる連動カムの動作を説明するための模式図である。
【発明を実施するための形態】
【００１５】
以下に、本発明の実施形態について説明する。
図１において、実施形態の炊飯機能付きガスコンロの一例としてキッチンのカウンタートップＣに設置されるビルトインガスコンロを示し、このガスコンロ１は、天板１１上に３口のコンロ部１３を有し、本体１０の中央にグリル部１４を有する。コンロ部１３のバーナ配置は、手前の２つを共にガスインプットが大きい強火力バーナ２Ｒ，２Ｌ（約３６００ｋｃａｌ／ｈ）とし、中央奥の１つをガスインプットが最も小さい小バーナ２Ｃ（約１１００ｋｃａｌ／ｈ）とする。このガスコンロ１で炊飯を行う場合、例えば、右側の強火力バーナ２Ｒが使用される。各バーナ２Ｒ，２Ｌ，２Ｃの中央部には、五徳１５に載置された調理容器Ａ（図２参照）の底面に接触させて温度を検出する温度センサ１６が設けられている。本体１０の前面パネル１２には、グリルバーナ（図示せず）の点消火ボタン２１Ｇと、左右の強火力バーナ２Ｒ，２Ｌの各々の点消火ボタン２１Ｒ，２１Ｌと、小バーナ２Ｃの点消火ボタン２１Ｃと、左右の強火力バーナ２Ｒ，２Ｌの各々の火力調節レバー２２Ｒ，２２Ｌと、小バーナ２Ｃの火力調節レバー２２Ｃと、炊飯モードを設定するための選択ボタン１７とが設けられている。そして、ガスコンロ１は、選択ボタン１７での炊飯モードの選択により炊飯用に強火力バーナ２Ｒの火力を火力制御する制御部６を備えている（図２参照）。なお、点消火ボタン２１Ｒ，２１Ｌ，２１Ｃ，２１Ｇが点火操作具となる。また、選択ボタン１７により、炊飯モードの他に湯沸しモード等も選択できる。
【００１６】
本体１０内には、各バーナ２Ｒ，２Ｌ，２Ｃとガス管との間に手動式の器具栓３が設けられている。図２、図３及び図４に示すように、炊飯を行う強火力バーナ（以下、「バーナ」という。）２Ｒの器具栓３は、器具栓本体３０内にガスの導入口３１から導出口３２に連通するガス供給路５が形成され、ガス供給路５には、上流側から電磁安全弁４１、ガス元弁４２、流量調節弁としてのニードル弁４３が設けられている。さらに、この器具栓３は、２連の電磁弁（開閉弁）として第１電磁弁５４と第２電磁弁５５とを備える。これら第１電磁弁５４及び第２電磁弁５５がバーナ２Ｒの火力切換え手段となる。器具栓本体３０内のガス供給路５は、図２を参照して、ガス元弁４２とニードル弁４３との間に、第１ガス流路５１、第２ガス流路５２、第３ガス流路５３が形成され、第１ガス流路５１にはこの第１ガス流路５１を開閉する第１電磁弁５４が設けられ、第２ガス流路５２にはこの第２ガス流路５２を開閉する第２電磁弁５５が設けられている。第１ガス流路５１及び第３ガス流路５３には、ガス流路を絞ったオリフィス５１ａ，５３ａが形成され、第１ガス流路５１のオリフィス５１ａは、第１電磁弁５４の下流位置に形成されている。第３ガス流路５３は、電磁弁を有さず且つオリフィス５３ａを形成したバイパス通路となる。
【００１７】
図３を参照して、ガス元弁４２は、器具栓本体３０内に進退自在に挿入されたロッド４に取り付けられており、電磁安全弁４１は、その弁体がロッド４の後端と対向して押圧可能に配置されている。ガス元弁４２と電磁安全弁４１の弁体は、バネ４ａ，４ｂによって閉弁側（器具栓本体３０前方側）に付勢されている。器具栓本体３０の前端には、器具栓本体３０内から突出したロッド４の前端と対向してスライダ３５が配置されている。スライダ３５は、器具栓本体３０の前端に取り付けられた固定枠３６内に摺動自在に内嵌されるとともにコイルバネ３７で前方に付勢されている。スライダ３５の前端は、点消火ボタン２１Ｒの裏面に当接されている。
【００１８】
スライダ３５は、プッシュプッシュ機構により、点消火ボタン２１Ｒの１回目の押込み操作で押し切られた終端位置から復帰する中間位置で係止され、点消火ボタン２１Ｒの２回目の押込み操作で中間位置から始端位置に弾性復帰する構成となっている。プッシュプッシュ機構は、スライダ３５の下面に形成された略ハート型のカム溝３５ａと、固定枠３６に保持されてカム溝３５ａに係合されるＵ字状のピン３６ａとにより構成される。従って、点消火ボタン２１Ｒを押込み操作（点火操作）すると、スライダ３５が始端位置から終端位置に移動してロッド４が後方に押動されてガス元弁４２と電磁安全弁４１が開弁され、器具栓３が開栓してバーナ２Ｒにガスが供給される。同時に固定枠３６に取り付けたスイッチ（図示せず）がオンして、制御部６の指令によりイグナイタ６１を駆動して点火電極６２がスパークし、バーナ２Ｒが点火される。バーナ２Ｒが点火して炎検知器６３から起電力信号が制御部６に入力されると、制御部６の指令により電磁安全弁４１に起電力が付与されて電磁安全弁４１の開弁状態が保持される。そして、点消火ボタン２１Ｒの押込みを解くと、スライダ３５は、プッシュプッシュ機構により中間位置に係止される。この中間位置では、ガス元弁４２は開弁状態に保持されるので、バーナ２Ｒは着火状態に維持される。次に点消火ボタン２１Ｒを再度押込み操作（消火操作）すると、中間位置でのスライダ３５の係止が解かれ、そして、点消火ボタン２１Ｒの押込みを解くと、スライダ３５が前方の始端位置に復帰してガス元弁４２が閉じられ、バーナ２Ｒが消火される。バーナ２Ｒの消火操作により電磁安全弁４１への起電力付加が絶たれて電磁安全弁４１が閉じる。
【００１９】
ニードル弁４３は、器具栓本体３０の前方へ延びる膨出部３４内においてガス供給路５と連通して形成された挿通孔３４ａに摺動自在に配設されている。ニードル弁４３は、一端部にノズル孔４３ａを有する弁孔４３ｂが設けられ、他端部付近に上下に突出する操作ピン４３ｃが挿入固定されている。図４をも参照して、膨出部３４には、挿通孔３４ａに連続して上下に切り欠いたスリット３４ｂが膨出部３４の前面から後方へ一定範囲に渡って形成されている。そして、操作ピン４３ｃは、スリット３４ｂに配置されてニードル弁４３とともに前後に移動可能となっている。器具栓３の膨出部３４の上面には、火力調節レバー２２Ｒがカバー板２３とともにボルト２４を各取付孔２２ｂ，２３ｂ（図５参照）に通して回動可能に取り付けられている。火力調節レバー２２Ｒには、円弧状に形成された斜め向きのカム孔２２ａ（図５参照）が設けられ、このカム孔２２ａに操作ピン４３ｃの上端が係合されている。カバー板２３には、火力調節レバー２２Ｒのカム孔２２ａを露出させるように長孔２３ａ（図５参照）が設けられている。火力調節レバー２２Ｒの先端には、前面パネル１２から突出する調整摘み２２ｃが取り付けられる。この調整摘み２２ｃを、図１において右方向に移動させて火力調節レバー２２Ｒを反時計方向に回動させると、カム孔２２ａにより操作ピン４３ｃが器具栓３の前方側に移動され、それに伴ってニードル弁４３が移動してガス供給路５と連通する弁孔４３ｂとニードル弁４３の先端の周囲のすき間よりガスが流れ（図３中の部分拡大図（強火）を参照。）、バーナ２Ｒの火力を強火とする。また、調整摘み２２ｃを、図１において左方向に移動させて火力調節レバー２２Ｒを時計方向に回動させると、カム孔２２ａにより操作ピン４３ｃが器具栓３の後方側に移動され、それに伴ってニードル弁４３が移動して弁孔４３ｂのみからガスが流れ（図３中の部分拡大図（弱火）を参照。）、バーナ２Ｒの火力を弱火とする。
【００２０】
器具栓３は、点消火ボタン２１Ｒでの点火操作の際にニードル弁４３の位置を点火及び炊飯位置に設定するための連動機構としての連動カム７が設けられている。連動カム７は、ニードル弁４３の操作ピン４３ｃの下端が係合される略三角形状に切り欠かれた連動孔７１が設けられ、膨出部３４の下面に対してボルト７５を取付孔７４に通して回動可能に取り付けられている。図５に示すように、連動カム７における略三角形状の連動孔７１の三辺は、器具栓３の前側へ弧状に膨出する第１作用辺７１ａと、この第１作用辺７１ａと対向する斜辺の第２作用辺７１ｂと、前後方向に直線状に延びる許容辺７１ｃとで構成されている。連動カム７の一側端部には、垂下片７２が設けられ、この垂下片７２には、スライダ３５の上部に形成された押圧部３５ｂにより押圧操作される操作片７２ａが内側へ向けて折曲形成されている。垂下片７２の後部には、スプリング７３を受ける係止片７２ｂが形成されており、連動カム７は、その係止片７２ｂと器具栓本体３０の前面に形成した凹部３３（図３参照）との間にスプリング７３が介装されて時計方向に回動付勢される。
【００２１】
そして、バーナ２Ｒの点火時に点消火ボタン２１Ｒを押込み操作すると、スライダ３５の押圧部３５ｂにより操作片７２ａが押圧操作されて連動カム７が反時計方向に回動する。このとき、図６（ａ）に示すように、火力調節レバー２２Ｒが弱火位置側にあると、連動カム７の回動に伴って、図６（ｂ）に示すように、第１作用辺７１ａにより操作ピン４３ｃが押圧操作されてニードル弁４３が器具栓３の前方側へ強制移動されるとともに、火力調節レバー２２Ｒが中火位置（点火及び炊飯位置）に強制的に移動される。また、図７（ａ）に示すように、火力調節レバー２２Ｒが強火位置側にあると、連動カム７の回動に伴って、図７（ｂ）に示すように、第２作用辺７１ｂにより操作ピン４３ｃが押圧操作されてニードル弁４３が器具栓３の後方側へ強制移動されるとともに、火力調節レバー２２Ｒが中火位置（点火及び炊飯位置）に強制的に移動される。
【００２２】
すなわち、ニードル弁４３が器具栓本体３０の前端側に位置した強火位置の状態にあっても後端側に位置した弱火位置の状態にあっても、バーナ２Ｒの点火の際、点消火ボタン２１Ｒを押込み操作すると、連動カム７によって操作ピン４３ｃを介して、ニードル弁４３が火力調節レバー２２Ｒとともに点火に適した中火位置に強制的に移動される。よって、バーナ２Ｒの点火は、この中火位置の状態で行われる。そして、バーナ２Ｒの点火完了後に点消火ボタン２１Ｒの押圧を解くと、連動カム７がスプリング７３により回動復帰して図６（ａ）や図７（ａ）に示す位置に保持される。この位置では、連動カム７に設けた連動孔７１の空間が操作ピン４３ｃの前後移動の範囲と一致するので、火力調節レバー２２Ｒを回動するとバーナ２Ｒの火力を弱火から強火の間で自由に変更調節することができる。なお、点消火ボタン２１Ｒでの消火操作時も点消火ボタン２１Ｒでの消火操作と連動してニードル弁４３及び火力調節レバー２２Ｒの位置を強制的に移動させるようにしてもよいし、また、消火操作時にはスライダ３５の移動では連動カム７を回動させないようにスライダ３５の押圧部３５ｂと連動カム７の操作片７２ａとの距離を設定する等してニードル弁４３及び火力調節レバー２２Ｒの位置は強制的に移動させないようにしてもよい。
【００２３】
以上の構成を備えたガスコンロ１により炊飯を行う場合の動作を説明する。
炊飯を行う強火力バーナ２Ｒを点火するため、点消火ボタン２１Ｒを押込み操作すると、器具栓３のガス元弁４２及び電磁安全弁４１が開弁され、また、点消火ボタン２１Ｒの押込み操作と連動して器具栓３のニードル弁４３が火力調節レバー２２Ｒとともに中火位置に強制的に移動設定される。同時に制御部６の指令により第１電磁弁５４及び第２電磁弁５５が開弁状態に保持される。このように、バーナ２Ｒへの点火時には、ニードル弁４３が中火位置に設定されるとともに、第１電磁弁５４及び第２電磁弁５５が開弁されるので、器具栓３からバーナ２Ｒへのガス供給量が点火に適した量に調節される。従って、バーナ２Ｒは、ガス量不足で点火不良を起こすことなく確実に点火される。
【００２４】
そして、選択ボタン１７で炊飯モードが選択されることによって、制御部６の指令によりバーナ２Ｒの点火後に第２電磁弁５５を閉じる。これにより、器具栓３からバーナ２Ｒへのガス供給量は、第１ガス流路５１のオリフィス５１ａと第３ガス流路５３のオリフィス５３ａで設定されるとともに、中火位置に設定されたニードル弁４３によっても設定される。従って、バーナ２Ｒの火力は、点火時の点火火力から、この点火火力よりも小さく炊飯に適した炊飯火力に設定される。すなわち、炊飯の際は、２つの電磁弁のうち１つの電磁弁（第２電磁弁５５）を閉じることで、火力調節レバー２２Ｒを操作することなく点火位置の状態でバーナ２Ｒの火力が点火時の点火火力から炊飯に適した炊飯火力へ自動的に変更される。よって、炊飯を行う場合に火力調節レバー２２Ｒの位置を手動で炊飯位置に合わせる操作を省略することができる。しかも、火力調節レバー２２Ｒの位置は、連動機構である連動カム７によって一定の設定位置に必ず設定されるから設定位置がずれることはなく、よって、炊飯火力にばらつきが生じることがなく安定して適切な炊飯火力が得られる。
【００２５】
また、前面パネル１２における火力調節レバー２２Ｒの調整摘み２２ｃ付近には、火力調節レバー２２Ｒの位置が炊飯位置にあることを示す炊飯マーク１８（炊飯表示）が、バーナ２Ｒの点火位置と同じ位置に表示されている（図１参照）。従って、このガスコンロ１の使用者は、炊飯の際、火力調節レバー２２Ｒの位置が炊飯マーク１８と一致していることで火力調節レバー２２Ｒの位置が炊飯位置にあることを認識して、バーナ２Ｒの点火操作後に火力調節レバー２２Ｒの位置を操作する必要がないことを確認することができる。
【００２６】
そして、炊飯中は、調理容器の底面に接触した温度センサ１６の検出温度に基づいて制御部６の指令によりバーナ２Ｒの火力制御が行われる。この炊飯中の火力制御としてバーナ２Ｒの火力切換え制御は、第２電磁弁５５を閉弁状態のままとし、第１電磁弁５４を開閉することにより行う。すなわち、炊飯中のバーナ２Ｒの火力は、第１電磁弁５４を開いた状態では上記炊飯火力であるが、第１電磁弁５４を閉じることにより炊飯火力から、これより小さい弱火に切換えられる。このように、炊飯中のバーナ２Ｒの火力切換えを第１電磁弁５４、第２電磁弁５５の動作で行うので、第１ガス流路５１及び第３ガス流路５３の各流路によりバーナ２Ｒへのガス供給量を一定に設定することができ、切換えたバーナ２Ｒの火力が一定に保持され、良好な炊飯を行うことができる。
【００２７】
そして、炊飯を完了するときは、制御部６の指令により電磁安全弁４１への起電力供給を絶ち、電磁安全弁４１を閉じてバーナ２Ｒを消火する。なお、この状態では、点消火ボタン２１Ｒに設けたランプ１９が点滅されていて点消火ボタン２１Ｒが中間位置に押込み状態にあることが知らされており（図１参照）、使用者は、このランプ１９の点滅を見て、点消火ボタン２１Ｒを押込み操作して元の始端位置に復帰させることができる。すると点消火ボタン２１Ｒのランプ１９も消灯する。
【００２８】
以上の実施形態の炊飯機能付きガスコンロ１によれば、手動式の器具栓３を備えるガスコンロ１で炊飯する場合、連動機構としての連動カム７とともに２連の電磁弁としての第１電磁弁５４及び第２電磁弁５５の動作を組み合わせることで、バーナ２Ｒの点火操作の際は、第１電磁弁５４及び第２電磁弁５５を開弁状態とし点火に十分なガス量をバーナ２Ｒへ供給してバーナ２Ｒの点火を確実に行うことができ、炊飯の際は、炊飯モードの選択により第２電磁弁５５を閉じることで火力調節レバー２２Ｒを操作することなく点火位置の状態でバーナ２Ｒの火力を点火時の点火火力から炊飯に適した炊飯火力へ自動的に変更することができる。従って、炊飯を行う場合に火力調節レバー２２Ｒの位置を手動で炊飯位置に合わせる操作を省略することができ、使い勝手を向上することができる。そして、炊飯を強火力バーナ２Ｒで行う場合であっても、火力調節レバー２２Ｒの位置ずれにより炊飯火力にばらつきを生じさせることがなく、決められた炊飯火力が安定して得られ、良好な炊飯を実行することができる。また、炊飯中のバーナ２Ｒの火力切換えは、第１電磁弁５４を開閉することで切換えたバーナ２Ｒの火力が一定に保持され、失敗無く良好な炊飯を行うことができる。
【００２９】
なお、上記実施の形態のガスコンロ１では手前２つのバーナ２Ｒを共に強火力バーナ２Ｒ（約３６００ｋｃａｌ／ｈ）としたが、一方をガスインプットが中程度の標準バーナ２Ｒ（約２６００ｋｃａｌ／ｈ）とし、この標準バーナ２Ｒに上記器具栓３を適用して炊飯を行うようにしてもよい。
【符号の説明】
【００３０】
１  ガスコンロ
２Ｌ，２Ｒ，２Ｃ  バーナ
３  器具栓
５  ガス供給路
６  制御部
７  連動カム
１２  前面パネル
１６  温度センサ
１７  選択ボタン
１８  炊飯マーク
２１Ｌ，２１Ｒ，２１Ｃ，２１Ｇ  点消火ボタン
２２Ｌ，２２Ｒ，２２Ｃ  火力調節レバー
２２ａ  カム孔
３５  スライダ
３５ｂ  押圧部
４１  電磁安全弁
４２  ガス元弁
４３  ニードル弁
４３ｃ  操作ピン
５１  第１ガス流路
５２  第２ガス流路
５３  第３ガス流路
５４  第１電磁弁
５５  第２電磁弁
７１  連動孔
７１ａ  第１作用辺
７１ｂ  第２作用辺
７１ｃ  許容辺
７２ａ  操作片
７２ｂ  係止片
７３  スプリング
【図１】
0005587939.tif 000002
【図２】
0005587939.tif 000003
【図３】
0005587939.tif 000004
【図４】
0005587939.tif 000005
【図５】
0005587939.tif 000006
【図６】
0005587939.tif 000007
【図７】
0005587939.tif 000008